(57)【特許請求の範囲】
【請求項１】
少なくとも一端部側を使用端とするスプーンや筆等の用具を把持する際に利用する把持具であり、家具の天板面等の略水平状態にある面部に載置する際に、前記用具の使用端と面部とを離間した状態で保持するものであり、
前記用具の反使用端側に設けてあり使用時に把持する把持具本体と、この把持具本体と面部とを離間した状態で支持する支持部とを具備し、
前記把持具本体を把持する際に、一方の指により該把持具本体に加える力に対して、その力と対向する力を他の指で加え得るように、前記支持部が、他の指を当て得る凹部を有していることを特徴とする把持具。
【請求項２】
少なくとも一端部側を直接的に口と接する使用端とするスプーン等の用具を把持する際に利用する把持具であり、家具の天板面等の略水平状態にある面部に載置する際に、前記用具の使用端と面部とを離間した状態で保持するものであり、
前記用具の反使用端側に設けてあり使用時に把持する把持具本体と、この把持具本体と面部とを離間した状態で支持する支持部とを具備し、
前記把持具本体を把持する際に、一方の指により該把持具本体に加える力に対して、その力と対向する力を他の指で加え得るように、前記支持部が、他の指を当て得る凹部を有していることを特徴とする把持具。
【請求項３】
家具の天板面等の略水平状態にある面部に載置する際に、前記用具を面部と略沿った水平状態で保持するものであることを特徴とする請求項１又は２記載の把持具。
【請求項４】
前記支持部が、樹脂製であることを特徴とする請求項１，２又は３記載の把持具。
【請求項５】
用具に対して着脱可能であることを特徴とする請求項１、２、３又は４記載の把持具。
【請求項６】
複数を略鉛直方向に沿って順次スタッキングし得るものであることを特徴とする請求項１、２、３、４又は５記載の把持具。
【請求項７】
少なくとも一端部側に設けてある使用端と、反使用端側に設けてあり使用時に把持する把持部とを具備し、家具の天板面等の略水平状態にある面部に載置する際に、前記把持部が、前記使用端と面部とを離間した状態で保持するものであり、
前記把持部が、使用時に把持する把持部本体と、この把持部本体と面部とを離間した状態で支持する支持部とを具備し、
前記把持部を把持する際に、一方の指により該把持部に加える力に対して、その力と対向する力を他の指で加え得るように、前記支持部が、他の指を当て得る凹部を有していることを特徴とする用具。
【請求項８】
少なくとも一端部側に設けてあり直接的に口と接する使用端と、反使用端側に設けてあり使用時に把持する把持部とを具備し、家具の天板面等の略水平状態にある面部に載置する際に、前記把持部が、前記使用端と面部とを離間した状態で保持するものであり、
前記把持部が、使用時に把持する把持部本体と、この把持部本体と面部とを離間した状態で支持する支持部とを具備し、
前記把持部を把持する際に、一方の指により該把持部に加える力に対して、その力と対向する力を他の指で加え得るように、前記支持部が、他の指を当て得る凹部を有していることを特徴とする用具。
【請求項９】
複数を略鉛直方向に沿って順次スタッキングし得るものであることを特徴とする請求項７又は８記載の用具。
【発明の詳細な説明】
【０００１】
【発明の属する技術分野】
本発明は、スプーン等の用具の衛生状態を良好に保持し得る把持具及び衛生的に使用し得るスプーン等の用具に関するものである。
【０００２】
【従来の技術】
従来、日常生活で頻繁に利用する用具として、例えばスプーン、フォークそして歯ブラシ等がある。これらの用具は、一端部側に設けた直接的に口と接する使用端と、他端部側に設けた把持具とを具備しており、その大きさや使用端に特徴を持たせたものが多数市場に送り出されている。そして、前記用具の中でも、特に、握力が弱いことや身体が不自由なことが原因でそれらの用具を上手に使いこなし難い幼児や身体障害者および高齢者を対象とするものは、把持具の形状を太くしたり把持具に溝を設けたりする等の用具を握り易くする為の様々な工夫が凝らされて、対象者の該用具の取り扱いに於ける利便性や安全性の向上を図り得るものが多く知られている。
【０００３】
【発明が解決しようとする課題】
ところで、近時、一般家庭では、社会問題とされている食中毒事故の発生頻度の上昇と共に、これらの用具にも衛生面の対策が望まれつつある。ところが、従来の構成のものであると、一般的なものは、使用端の方が把持具に対して比重が大きいので、前記用具を机等の家具の天板面に載置すると、その使用端が天板面と接触して用具が不衛生になりがちである。また、幼児、身体障害者あるいは高齢者を対象とする用具は、把持具の形状が握り易さを図る為のものが多く、天板面に載置されると不安定な様態をとり、その使用端が天板面に接触し易くなったり、天板面から転落する等の恐れがある。さらに、用具が、スプーンやフォーク等のカトラリー（食卓用刃物）の場合には、使用端が金属製のものが多いので、天板面に載置する際に、金属音がして不快感を感じることがある。
【０００４】
このように、従来のものは、把持具の握り易さを図るために形状等に種々工夫を凝らしているが、握り易さと衛生面の両方を考慮しているとはいい難いものである。従って、本発明は、用具の握り易さと衛生面の向上を図り得る把持具を提供することを目的とする。
【０００５】
【課題を解決するための手段】
上述した課題に鑑み、本発明は、少なくとも一端部側を使用端とするスプーンや筆等の用具を把持する際に利用するものであり、家具の天板面等の略水平状態にある面部に載置する際に、前記用具の使用端と面部とを離間した状態で保持する把持具である。
【０００６】
このような構成のものであると、用具の使用端が家具の天板面等の略水平状態にある面部と離間して把持具に保持してあるので、面部に載置する際に、使用端と面部とが接触することなく、前記用具及び面部を常に清潔に利用することができる。具体的には、面部に載置される用具が、例えば、スプーン等の口と接触するものである場合、スプーンは、その使用端が面部と接触しないように把持具に保持されるので、常に清潔で衛生的である。特に、このように用具がスプーン等のカトラリー（食卓用刃物）である場合、カトラリーは金属製のものが多いため、載置時に面部と接触して不快な金属音をたてることが多かった。しかし、本発明のような構成にすると、例えば、把持具を樹脂製にしておけば、金属音の発生も防止できる。また、面部に載置される用具が、例えば、インク等を含ませた筆等の場合、把持具は、用具の使用端を面部と離間して保持するので面部を清潔に保ち得る。なお、ここでいう面部とは、机等の家具の天板面や、引き出しの底壁や、床等のことである。また、用具とは、スプーンやフォーク等のカトラリー（食卓用刃物）、飲食用器具、歯ブラシ、及び筆等を指すものである。
【０００７】
少なくとも一端部側を直接的に口と接する使用端とするスプーン等の用具を把持する際に利用するものであり、家具の天板面等の略水平状態にある面部に載置する際に、前記用具の使用端と面部とを離間した状態で保持する把持具の場合にも同様に、その使用端と面部との接触を禁止して清潔で衛生的に使用される。
【０００８】
そして、腕や手等を引っかけて用具を倒す等の事故を防止したり、フォーク等の先端がとがった用具を略上向きに保持した場合に起こり得る使用者の手を突き刺す等の事故による使用上の危険性を低下させるには、把持具が、家具の天板面等の略水平状態にある面部に載置する際に、前記用具を面部と略沿った水平状態で保持するものが望ましい。
【０００９】
また、面部に載置する際、握りやすいように工夫を凝らした把持具が不安定な形状であっても安定させたり、面部に載置した把持具を容易に拾い上げ得るようにしたり、面部が緩やかな斜面でもずり落ちることなく安定して載置し得るには、把持具が、前記用具の反使用端側に設けてあり使用時に把持する把持具本体と、この把持具本体と面部とを離間した状態で支持する支持部とを具備しているのが望ましい。なお、不安定な形状とは、例えば、把持具の横断面が略円形であった場合に、面部に載置すると把持具自身が回転してしまい天板上から落下する等の安定させて面部に載置し難い形状のことである。
【００１０】
そして本発明は、幼児、身体障害者又は高齢者のような握力が弱い使用者が、用具を使用する際に、把持具に対して安定した力のバランスを保持するように指を当てて使用し得るために、前記把持具本体を把持する際に、一方の指により該把持具本体に加える力に対して、その力と対向する力を他の指で加え得るように、前記支持部が他の指を当て得る凹部を有していることを特徴とする。
【００１１】
さらに、好適な素材としては、前記支持部が、樹脂製であるものが望ましい。
【００１２】
このようなものであると、面部に載置する際に、面部と把持具によって生じる、例えば、金属音等の不快音の発生を防止し得る。
【００１３】
そして、把持具が、用具の取替により歯ブラシや筆等の様々な態様を取ったり、既存のスプーン等の用具を取り付け可能にしたり、用具の洗浄を行い易くしたりし得るには、用具に対して着脱可能であるのが望ましい。
【００１４】
また、収納時に複数個を積み重ねてコンパクトな状態にして収納の高効率化を図り得るには、把持具が、複数を略鉛直方向に沿って順次スタッキングし得るものであることが望ましい。
【００１５】
さらに、使用端と面部との接触を禁止して清潔で衛生的に用具を使用し得る本発明に係る用具は、少なくとも一端部側に設けてある使用端と、反使用端側に設けてあり使用時に把持する把持部とを具備し、家具の天板面等の略水平状態にある面部に載置する際に、前記把持部が、前記使用端と面部とを離間した状態で保持するものや、少なくとも一端部側に設けてあり、直接的に口と接する使用端と、反使用端側に設けてあり使用時に把持する把持部とを具備し、家具の天板面等の略水平状態にある面部に載置する際に、前記把持部が、前記使用端と面部とを離間した状態で保持するものである。
【００１６】
そして本発明は、さらに、面部に載置する際、面部に載置した用具を容易に拾い上げ得るようにしたり、面部が緩やかな斜面でもずり落ちることなく安定して載置し得るには、前記把持部が、使用時に把持する把持部本体と、この把持部本体と面部とを離間した状態で支持する支持部とを具備し、前記把持部を把持する際に、一方の指により該把持部に加える力に対して、その力と対向する力を他の指で加え得るように、前記支持部が、他の指を当て得る凹部を有していることを特徴とする。
【００１７】
そして、収納時に複数個を積み重ねてコンパクトな状態にして収納の高効率化を図り得るには、用具が、複数を略鉛直方向に沿って順次スタッキングし得るものが望ましい。
【００１８】
【発明の実施の形態】
＜第１の実施の形態＞
以下、本発明の第１の実施の形態について、図面を参照して説明する。
【００１９】
この把持具２は、図１及び図２に示すように、一端部を直接的に口と接する使用端１１とする用具たるスプーンＳを把持する際に利用するものであり、机等の家具における略水平状態にある面部たる天板面３に載置する際に、図３及び図４に示すように、前記使用端１１と天板面３とを離間した状態で保持するように構成してある。
【００２０】
そして、把持具２は、図３及び図４に示すように、机等の家具の天板面３に載置する際に、前記スプーンＳを天板面３に略沿って水平状態で支持し得るように構成してある。具体的には、前記スプーンＳの反使用端１３に設けてあり使用時に把持する把持具本体２１と、天板面３と前記把持具本体２１とを離間した状態で支持する支持部２２とを具備している。また、把持具２は、図５に示すように、スプーンＳに対して着脱可能に構成してある。なお、本実施の形態のスプーンＳは、食物等を掬い載せ得る形状である前記使用端１１と、使用する際に把持し得るように前記使用端１１から延出した棒状の柄部１２とを具備している。
【００２１】
以下、図１から図６を用いて各部の詳細を記述する。
【００２２】
把持具本体２１は、樹脂製のもので、利用者が把持し得る大きさであり、横断面が略円形である。そして、把持具本体２１は、その両端側に略球状に形成した一対の膨出部２４を具備している。一方の膨出部２４の一端部２４ａには、前記スプーンＳの柄部１２を挿入し得る挿入孔２４ｂが設けてある。
【００２３】
支持部２２は、前記把持具本体２１と一体に構成した樹脂製のもので、前記膨出部２４から利用者が、通常に把持する状態を妨げない位置に複数が突出されている。具体的には、前記使用端１１側の膨出部２４から対をなして突出する使用端側支持部２２１と、前記反使用端１３側の膨出部２４から対をなして突出する反使用端側支持部２２２とで構成してあり、これらは、把持具本体２１の四隅を支持している。そして、使用端側支持部２２１と反使用端側支持部２２２は、図１から図５に示すように、天板面３に載置した時に、該天板面３と接する接面部２２ａを具備しており、図３及び図４に示すように、把持具本体２１と天板面３との間に利用者の指を挿入し得るような空間Ｗを形成した状態で把持具本体２１を支持している。また、使用端側支持部２２１には、図２に示すように、前記把持具本体２１を把持する際に、一方の指たる親指Ａ及び人差指ＢによりスプーンＳの反使用端１３側に向かって該把持具本体２１に加える力Ｆ１に対して、その力Ｆ１と対向する力Ｆ２を他の指たる中指Ｃで反使用端１３側から加え得る凹部２２ｂが形成してある。この凹部２２ｂは、指に沿うような形状をしており、把持する際に、中指Ｃを反使用端１３側から当てるようにしている。
【００２４】
このような構成のものにおいて、把持具２は、スプーンＳを利用する際に、前記挿入孔２４ｂにスプーンＳの柄部１２を差し込んで使用するもので、スプーンＳを天板面３に載置したり、食事をするために把持する等の動作を実現する。
【００２５】
次に、この把持具２の使用方法について詳述する。
【００２６】
まず、把持具２を取り付けたスプーンＳを天板面３に載置する際には、図３及び図４に示すように、複数の支持部２２の接面部２２aと天板面３とが接するように載置する。これにより、スプーンＳは、天板面３と離間して、さらに、天板面３と略沿った水平状態で把持具２に支持される。そして、この時、前記使用端１１は、天板面３と離間した状態であり、前記把持具本体２１は、天板面３との間に利用者の指を挿入し得るような空間Ｗを形成した状態で支持部２２に支持されている。
【００２７】
次に、スプーンＳを使用する際には、適宜の方法で把持具本体２１を把持する。具体的には、把持具本体２１の下面側を親指Ａと人差指Ｂの付け根近傍に当てた状態で、膨出部２４に配置した親指Ａと人差指Ｂとで把持具本体２１に反使用端１３側への力Ｆ１を加え、前記凹部２２ｂに反使用端１３側から中指Ｃを当て支持部２２を使用端１１側に押すことで前記力Ｆ１と対向する使用端１１側への力Ｆ２を加える等して使用する。
【００２８】
このような構成のものであると、把持具２が、机等の家具の天板面３に載置する際に、前記スプーンＳの使用端１１と天板面３とを離間して保持しているので、口に接する使用端１１を具備するスプーンＳは、その使用端１１と天板面３との接触を禁止されることになり清潔で衛生的に使用し得るものとなる。
【００２９】
そして、把持具２が、机等の家具の天板面３に載置する際に、前記スプーンＳを天板面３と略沿った水平状態で保持しているので、天板面３に起立状態で支持させる場合とくらべてスプーンＳに腕や手等を引っかけてスプーンＳを倒す等の事故を防止するような保持態様をとり得る。
【００３０】
なお、本実施の形態のように、握り易さを図るべく把持具本体２１の横断面を略円形にしている場合には、把持具本体２１が天板面３で回転しやすくなるが、把持具２が、前記スプーンＳの反使用端１３側に設けてあり使用時に支持する把持具本体２１と、この把持具本体２１と天板面３とを離間した状態で支持する支持部２２とを具備しているので、天板面３に載置する際、握りやすいように工夫を凝らした把持具本体２１の形状が原因で生じるスプーンＳが回転する等の不安定性を防止したり、天板面３と把持具本体２１との間に空間Ｗを設けて天板面３に載置した把持具２を容易に拾い上げるようにしたり、緩やかな斜面でも把持具がずり落ちることなく安定して載置され得ることを可能とする。
【００３１】
そして、また、前記把持具本体２１を把持する際に、親指Ａと人差指Ｂにより該把持具本体２１に加える力Ｆ１に対して、その力Ｆ１と対向する力Ｆ２を他の中指Ｃで加え得るように、前記支持部２２が中指Ｃを当て得る凹部２２ｂを形成してあるので、幼児、身体障害者又は高齢者のような握力が弱い使用者が、スプーンＳを使用する際に、把持具２に対して安定した力のバランスを保持するように指を当てて使用し得る。
【００３２】
さらに、好適な素材としては、前記支持部２２が、樹脂製であるので、天板面３に載置する際に天板面３と把持具２によって生じる、例えば、金属音等の不快音の発生を防止し得る。
【００３３】
そして、把持具２が、スプーンＳに対して着脱可能であるので、スプーンＳの取替により筆や歯ブラシ等の様々な態様を取ったり、既存のスプーン等の用具を取り付け可能にしたり、用具の洗浄を行い易くしたりし得る。
【００３４】
なお、本発明は、以上に説明した実施の形態に限定されるものではない。例えば、上述した実施の形態では、スプーンＳと把持具２とを別体としたが、一体のものでもよい。
【００３５】
そして、把持具２は、本実施の形態の形状に限定することなく、スプーンＳを天板面３に載置する際に、スプーンＳと天板面３が離間した状態で支持するものであれば支持部２２を具備しなくてもよい。好適な形態としては、把持具２が、スプーンＳの使用端１１側を天板面３に対して漸次離間距離が長くなるように、スプーンＳを天板面３に対して傾斜させて天板面３に保持し得るものや、把持具２が、スプーンＳの使用端１１より比重を大きく形成してあり、机等の家具の天板面３に載置する際に、常に前記使用端１１が天板面３と離間して保持されるもの等が挙げられる。
【００３６】
また、スプーンＳは、少なくとも一端部側を使用端１１とするものならよく、口と接するスプーンＳやフォーク等のカトラリーのみでなく筆や歯ブラシ等でもよい。このようなものであると、例えば、インク等を含ませた筆を使用する際、把持具２は、筆の使用端を天板面と離間して保持するので天板面を清潔に保ち得る。そして、例えば、歯ブラシ等の用具を使用する際には、把持具２は、用具の使用端を天板面と離間して保持するので使用端を清潔に保持し得る。
【００３７】
さらに、支持部は、本実施の形態の形状に限らない。以下、この支持部の変形例として第一、第二の変形例を挙げる。先ず、第一の変形例における使用状態を示す図７のように、使用端１１側から中指Ｃを当て得る形状の凹部２５ｂを具備している支持部２５であってもよい。このようなものであると、親指Ａと人差指Ｂとで把持具本体２１に使用端１１への力Ｆ２を加え、前記凹部２５ｂに使用端１１側から中指Ｃを当てて支持部２５を反使用端１３側へ引くことで前記力Ｆ２と対向する反使用端１３側への力Ｆ１を加えることができるので安定してスプーンＳを把持できる。
【００３８】
さらに、また、把持具１０２は、図８から図１１に示すように、把持具本体１０２１と、支持部１０２２とを具備しており、スプーンＳの柄部１２が、把持具本体１０２１を貫通しているものであってもよい。なお、図８から図１１は、把持具の第二の変形例を示している。
【００３９】
この把持具１０２は、一端部を使用端１１とする直接的に口と接する用具たるスプーンＳを把持する際に利用するものであり、机等の家具の天板面１０３に載置する際に、図９及び図１０に示すように、前記使用端１１と天板面１０３とを離間した状態で保持するように構成してある。なお、ここでは、スプーンＳは、上述した実施の形態で使用するスプーンＳと同様のものである。
【００４０】
把持具１０２は、前記スプーンＳの使用端１１側を天板面１０３と離間して支持し得るように構成してあり、前記柄部１２に設けた把持具本体１０２１と、天板面１０３に対して把持具本体１０２１を支持する支持部１０２２を具備している。
【００４１】
把持具本体１０２１は、略球状の樹脂製のもので、利用者が把持し得る大きさであり、横断面が略円形状に形成してある。そして、把持具本体１０２１には、前記スプーンＳの柄部１２を挿入し得る貫通孔１０２１ａが設けてある。
【００４２】
このような構成のものにおいて、把持具１０２は、上述した実施の形態と同様に、図８から図１１に示すように、天板面１０３に載置する際に、前記スプーンＳの使用端１１側を離間した状態で天板面１０３に支持する。
【００４３】
その他、各部の具体的構成についても上記実施の形態に限られるものではなく、本発明の趣旨を逸脱しない範囲で種々変形が可能である。
＜第２の実施の形態＞
以下、本発明の第２の実施の形態について、図面を参照して説明する。
【００４４】
この用具たるスプーンＳは、図１２及び図１３に示すように、一端部側に設けた直接的に口と接する使用端１１と、反使用端１３側に設けた把持部２０１とを具備し、机等の家具の略水平状態にある面部たる天板面２０２に載置する際に、把持部２０１が、図１３に示すように、前記使用端１１と天板面２０２とを離間した状態で保持するように構成してある。さらに、このスプーンＳは、複数を略鉛直方向に沿って順次スタッキングし得るものである。
【００４５】
以下、各部の詳細を記述する。
【００４６】
使用端１１は、食物等を掬い載せ得る形状であり、金属等の素材で形成してある。
【００４７】
把持部２０１は、使用端１１と一体に構成した金属製のもので、使用時に把持する把持部本体２０３と、天板面２０２に対して前記把持部本体２０３を天板面２０２と離間した状態で支持する支持部２０４とを具備している。
【００４８】
把持部本体２０３は、利用者が把持し得る大きさであり、反使用端１３側に設けてある平面視略三角形状の板金状の部材である。把持部本体２０３の幅寸法は、反使用端１３から使用端１１に近付くにつれて大きくなるように設計してある。なお、幅寸法は、把持部本体２０３の長手方向に対して直交する方向の寸法である。
【００４９】
支持部２０４は、把持部本体２０３の把持し易さを妨げない位置に形成してあり、スプーンＳの使用端１１が天板面２０２に接触しないように天板面２０２に支持し得る形状である。そして、支持部２０４は、天板面２０２と接地する接面部２０４ａを具備している。なお、この支持部２０４は、前記把持部本体２０３においてスプーンＳの使用端１１側に位置する側に、長手方向に沿って三分割する切り込みを入れ、この切り込みを入れることにより幅方向両端部側に形成される切片２０３ｂを前記把持部本体２０３と略直交する方向に折り曲げて形成してある。
【００５０】
このような構成のものにおいて、スプーンＳは、天板面２０２に載置したり、食事をするために把持する等の動作や、図１４に示すように、複数を略鉛直方向に沿って順次スタッキングする機能を実現する。
【００５１】
次に、このスプーンＳの使用方法について詳述する。
【００５２】
まず、スプーンＳを天板面２０２に載置する際には、図１３に示すように、支持部２０４の接面部２０４ａと天板面２０２とが接するように載置する。そして、この時、前記使用端１１は、天板面２０２と離間した状態であり、前記把持部本体２０３は、天板面２０２との間に利用者の指を挿入し得るような空間Ｗを形成した状態で支持部２０４に支持されている。また、スプーンＳを使用する際には、適宜の方法で把持部本体２０３を把持する。
【００５３】
次に、このスプーンＳを順次スタッキングする手順について図１４を使用して説明する。
【００５４】
まず、天板面２０２に一方のスプーンＳ１を載置しておき、その上方から他方のスプーンＳ２を、図１４に想像線で示すように積み重ねてゆく。具体的には、一方のスプーンＳ１の把持部本体２０３の上面２０３ｃ側、及び、支持部２０４の前面２０４ｂ側に、同一構成の他方のスプーンＳ２の把持部本体２０３と支持部２０４が重合するように上方から順次重ね合わせていく。
【００５５】
このような構成のものであると、把持部２０１が、天板面２０２に載置する際に、前記スプーンＳの使用端１１と天板面２０２とを離間して保持しているので、口に接する使用端１１を具備するスプーンＳは、その使用端１１と天板面２０２との接触を禁止されることになり清潔で衛生的に使用し得るものとなる。
【００５６】
そして、前記把持部２０１が、使用時に把持する把持部本体２０３と、この把持部本体２０３と天板面２０２とを離間した状態で支持する支持部２０４とを具備しているので、天板面２０２に載置する際、天板面２０２に載置したスプーンＳを容易に拾い上げ得るようにしたり、天板面２０２が緩やかな斜面でもずり落ちることなく安定して載置し得る。
【００５７】
そして、さらに、スプーンＳが、複数を略鉛直方向に沿って順次スタッキングし得るものであるので、収納時に複数個を積み重ねてコンパクトな状態にして収納の高効率化を図り得る。
【００５８】
なお、本発明は、上述した実施の形態に限定されるものではない。例えば、スプーンＳは、金属製のものに限定されず、樹脂製のものであってもよい。このようなものであると、天板面２０２に載置する際に、天板面２０２とスプーンＳによって生じる、例えば、金属音等の不快音の発生を防止し得る。その他の構成も、本発明の趣旨を逸脱しない範囲で種々変形が可能である。
【００５９】
【発明の効果】
本発明は、以上説明したような形態で実施され、以下に記載されるような効果を奏する。
【００６０】
すなわち、本発明の把持具は、少なくとも一端部側を使用端とするスプーンや筆等の用具を把持する際に利用する把持具であり、家具の天板面等の略水平状態にある面部に載置する際に、前記用具の使用端と面部とを離間した状態で保持することを特徴とするので、用具の使用端が家具の天板面等の略水平状態にある面部と離間して把持具に保持され、面部に載置する際に、前記用具及び面部を常に清潔に利用し得る。
【００６１】
また、把持具が、少なくとも一端部側を直接的に口と接する使用端とする用具を把持する際に利用するものであり、家具の天板面等の略水平状態にある面部に載置する際に、前記用具の使用端と面部とを離間した状態で保持するならば、使用端を具備する用具が、その使用端を清潔で衛生的に使用され得る。
【００６２】
そして、把持具が、家具の天板面等の略水平状態にある面部に載置する際に、前記用具を面部と略沿った水平状態で保持するならば、用具を倒す等の事故や、先端がとがった用具を使用する際に起こり得る使用者の手を突き刺す等の事故等による使用上の危険性を低下させる保持態様をとり得る。
【００６３】
また、把持具が、前記用具の反使用端側に設けてあり使用時に把持する把持具本体と、この把持具本体と面部とを離間した状態で支持する支持部とを具備しているならば、面部に載置する際、工夫を凝らした把持具本体の形状が原因で生じる用具が回転する等の不安定性を防止したり、面部と把持具本体との間に空間を設けて面部に載置した把持具を容易に拾い上げたり、面部が緩やかな斜面でもずり落ちることなく安定して載置し得ることを可能とする。
【００６４】
そして、また、前記把持具本体を把持する際に、一方の指により該把持具本体に加える力に対して、その力と対向する力を他の指で加え得るように、前記支持部が、他の指を当て得る凹部を有しているならば、握力が弱い使用者が、用具を使用する際に、把持具に対して安定した力のバランスを保持するように指を当てて使用し得る。
【００６５】
さらに、好適な素材としては、前記支持部が、樹脂製であるならば、面部に載置する際に面部と把持具によって生じる、不快音の発生を防止し得る。
【００６６】
そして、用具に対して着脱可能であるならば、把持具が、用具の取替により歯ブラシや筆等の様々な態様を取ったり、既存のスプーン等の用具を取り付け可能にしたり、用具の洗浄を行い易くしたりし得る。
【００６７】
また、把持具が、複数を略鉛直方向に沿って順次スタッキングし得るものであるならば、収納時に複数個を積み重ねてコンパクトな状態にして収納の高効率化を図り得る。
【００６８】
さらに、少なくとも一端部側に設けてある使用端と、反使用端側に設けてあり使用時に把持する把持部とを具備し、家具の天板面等の略水平状態にある面部に載置する際に、前記把持部が、前記使用端と面部とを離間した状態で保持するものや、少なくとも一端部側に設けてあり、直接的に口と接する使用端と、反使用端側に設けてあり使用時に把持する把持部とを具備し、家具の天板面等の略水平状態にある面部に載置する際に、前記把持部が、前記使用端と面部とを離間した状態で保持するものならば、使用端と面部との接触を禁止して清潔で衛生的に用具を使用し得る。
【００６９】
そして、さらに、前記把持部が、使用時に把持する把持部本体と、この把持部本体と面部とを離間した状態で支持する支持部とを具備しているならば、面部に載置する際、面部に載置した用具を容易に拾い上げ得るようにしたり、面部が緩やかな斜面でもずり落ちることなく安定して載置し得る。
【００７０】
そして、用具が、複数を略鉛直方向に沿って順次スタッキングし得るものならば、収納時に複数個を積み重ねてコンパクトな状態にして収納の高効率化を図り得る。
【図面の簡単な説明】
【図１】本発明の第１の実施の形態を示す全体斜視図。
【図２】同一使用状態を示す斜視図。
【図３】同側面図。
【図４】同正面図。
【図５】同分解斜視図。
【図６】同平面図。
【図７】同実施の形態における第一の変形例の一使用状態を示す斜視図。
【図８】同実施の形態における第二の変形例を示す全体斜視図。
【図９】同側面図。
【図１０】同正面図。
【図１１】同平面図。
【図１２】本発明の第２の実施の形態を示す平面図。
【図１３】同側面図。
【図１４】同複数のスプーンをスタッキングさせた状態を示す側面図。
【符号の説明】
＜第１の実施の形態＞
Ｓ・・・用具（スプーン）
１１・・・使用端
１３・・・反使用端
２、１０２・・・把持具
２１、２５、１０２１・・・把持具本体
２２、１０２２・・・支持部
２２１・・・支持部（使用端側支持部）
２２ｂ、２５ｂ・・・凹部
３、１０３・・・面部（天板面）
Ａ・・・一方の指（親指）
Ｂ・・・一方の指（人差指）
Ｃ・・・他方の指（中指）
Ｆ１・・・力
Ｆ２・・・力
＜第２の実施の形態＞
Ｓ、Ｓ１、Ｓ２・・・用具（スプーン）
１１・・・使用端
２０１・・・把持部
２０２・・・天板面（面部）
２０３・・・把持部本体
２０４・・・支持部
【図１】
0004776101.tif 000002
【図２】
0004776101.tif 000003
【図３】
0004776101.tif 000004
【図４】
0004776101.tif 000005
【図５】
0004776101.tif 000006
【図６】
0004776101.tif 000007
【図７】
0004776101.tif 000008
【図８】
0004776101.tif 000009
【図９】
0004776101.tif 000010
【図１０】
0004776101.tif 000011
【図１１】
0004776101.tif 000012
【図１２】
0004776101.tif 000013
【図１３】
0004776101.tif 000014
【図１４】
0004776101.tif 000015